(57)【要約】【課題】水面の波の持つエネルギーを機械的動力に変換し，発電などに利用する装置を提供する。【解決手段】岸壁に固定された構造物と水面に浮いた構造物とこれをつなぐ部材とで構成された装置であり、水面に浮いた構造物が岸壁に対して上下動できる様構成し、上昇するときは浮力により自由に上昇し、下降するときの運動のみを機械的動力に変換する機構と、前記の水面に浮いた構造物に複数個の小型浮体を取付け、これらが個別に上下動するように構成し、小型浮体が下降する時は自重により自由に下降し、上昇する時の運動のみを機械的動力に変換する機構とを有する事を特徴とする。【選択図】図１
2009047147.tif 000002
【特許請求の範囲】
【請求項１】
岸壁に固定された構造物と水面に浮いた構造物とこれをつなぐ部材とで構成された装置であり、水面に浮いた構造物が岸壁に対して上下動できる様構成し、上昇するときは浮力により自由に上昇し、下降するときの運動のみを機械的動力に変換する機構と、前記の水面に浮いた構造物に複数個の小型浮体を取付け、これらが個別に上下動するように構成し、小型浮体が下降する時は自重により自由に下降し、上昇する時の運動のみを機械的動力に変換する機構とを有する事を特徴とする変換装置。
【発明の詳細な説明】
【技術分野】
【０００１】    本発明は水面の波を機械的動力に変換し，発電などに利用する装置に関する。
【背景技術】
【０００２】    従来、海水面の波を発電などに利用するシステムは多くの研究機関や企業が実験を試みているが、いずれも効率が低く（発光ブイ、ウェルズタービン等）、本格的な実用には至っていない。【０００３】
【特許文献１】特開平１０−２３８４５０号公報
【特許文献２】特開平６−１７１５７７号公報
【特許文献３】特開平７−２９３４２０号公報
【特許文献４】特許公開２００５−３１５１９３号公報
【非特許文献１】「海洋エネルギー利用技術」４３頁〜９４頁  森北出版
【発明の開示】
【発明が解決しようとする課題】
【０００４】  従来の技術では、特定の波長の波でなければ稼動効率が著しく低下する。
波長の短い波を動力に変換する場合は、浮体を極力小さく軽くして浮体が上昇するときの運動を利用する方が効率が良いが、この場合は突き上げ棒、リンク、ラック等が必要となりこの重量を軽くするためにはこれらを短くする必要がある。しかし短くすると波長の長い波や潮汐に対応できない。【０００５】  従来考案された方式は多くが大規模な設備であり、海岸において長期にわたる建設工事を必要とするものであった。この為建設費用が高く、設備の曳航、移設、撤去、等の費用も高額であった。また、従来の技術では特定の波長の波にしか対応出来ないため設置に適した海岸の選定が問題となる。【０００６】  本発明はこれらの問題の解決を目的としたものであり、大小様々な波に対応できる高効率の変換装置を提供する。
【課題を解決するための手段】
【０００７】  小型浮体が上昇するときの運動を、ラックピニオンなどを介して回転運動に変換する。小型浮体が下降するときは自由に下降するようにワンウェイクラッチ等を使用する。
また、ピニオン軸の逆転を防止するためにもワンウェイクラッチ等を使用する。
ラックの長さを極力短くするため上記の装置自体に大型の浮体を取付けて水面に浮かべ、ドライブチェーン等で吊下げる。装置自体も波によって上下動するので，上昇時は自由に上昇させ、下降時の運動を回転運動に変換する。【０００８】  本発明装置において，水面波の断続的な運動を滑らかな連続運動に変換するために，弾性部材を用いる。
【発明の効果】
【０００９】  本発明によれば、大小様々な水面波を効率よく機械的動力に変換できる。
また、工場でのライン生産に適しているため費用が安価である。
【発明を実施するための最良の形態】
【００１０】  図２、図３の様に、小型浮体１が上下に旋回するように設置し，小型浮体１が上昇するとき上部に付けられたラック２を押上げる。ラック２は、ピニオン３とワンウェイクラッチ４を介して軸５を回転させる。小型浮体１が下降するとき上部に付けられたラック２を引下げてピニオン３を逆回転させるが，ワンウェイクラッチ４が空転しワンウェイクラッチ６がロックするため軸５は逆回転しない。小型浮体１の上下運動は軸５の断続的な一方向回転に変換される。【００１１】  軸５の断続的な一方向回転はチェーンを介して弾性材装置７に伝えられる。弾性材装置７は、引っ張りばね又は捻りばね等を用いて軸にかかるトルクを一定の強さまで蓄える装置である。【００１２】  以上の装置を複数個並べて設置し、弾性材装置７の回転力を集合軸８に伝達する。軸５の断続的な一方向回転は弾性材装置７を介しさらに複数の装置から集合軸８に集められるため集合軸８の回転は連続的一方向回転になる。【００１３】  図１の様に、岸壁に固定された構造物のアーム軸受け９を中心にアーム１０が上下に旋回し，水面に浮いた構造物１１は海面に対し垂直を保ったまま上下動する。【００１４】  水面に浮いた構造物１１が下降する時チェーン１２を引き下げながら下降し、チェーン１２に噛み合うスプロケット１３、軸１４、ワンウェイクラッチ１５、スプロケット１６が回転する。さらに、スプロケット１６からスプロケット１７、軸１８へ伝達された回転力は弾性材装置１９に伝えられる。【００１５】  水面に浮いた構造物１１が上昇する時チェーン１２に弛みが生じるためテンション装置２０を設ける。テンション装置２０は、複数のスプロケットを持つ本体とガイドレールから成り、本体の自重によりチェーンに一定の張力を与える装置である。【００１６】  水面に浮いた構造物１１が上昇する時、チェーン１２に噛み合うスプロケット１３と軸１４は逆回転するが、ワンウェイクラッチ１５が空転しワンウェイクラッチ２１がロックするため、スプロケット１６、スプロケット１７、軸１８、弾性材装置１９は逆転せず保持される。【００１７】  弾性材装置１９は弾性材装置７と同様に、引っ張りばね又は捻りばね等を用いて軸にかかるトルクを一定の強さまで蓄える装置である。【００１８】  弾性材装置１９と集合軸８の回転はチェーンによって合流軸２２へ伝達される。合流軸２２の回転は変速機２３を介して発電機２４に伝達され、電気エネルギーとして利用される。
【産業上の利用可能性】
【００１９】  臨海地域や離島などの電気エネルギー供給源として利用できる。また、波浪による海岸の浸食や、船舶、海岸設備の損傷を軽減できる。
【図面の簡単な説明】
【００２０】
【図１】  本発明装置全体の側面図である。
【図２】  本発明装置の水面に浮いた構造物の概観図である。
【図３】  本発明装置の水面に浮いた構造物の詳細図である。
【図４】  本発明装置の水面に浮いた構造物の詳細図である。
【符号の説明】
【００２１】１，    小型浮体
２，    ラック
３，    ピニオン
４，    ワンウェイクラッチ
５，    軸
６，    ワンウェイクラッチ
７，    弾性材装置
８，    集合軸
９，    アーム軸受け
１０，  アーム
１１，  本体装置
１２，  チェーン
１３，  スプロケット
１４，  軸
１５，  ワンウェイクラッチ
１６，  スプロケット
１７，  スプロケット
１８，  軸
１９，  弾性材装置
２０，  テンション装置
２１，  ワンウェイクラッチ
２２，  合流軸
２３，  変速機
２４，  発電機
２５，  浮体
【図１】
2009047147.tif 000003
【図２】
2009047147.tif 000004
【図３】
2009047147.tif 000005
【図４】
2009047147.tif 000006